(57)【特許請求の範囲】
【請求項１】
下端に環状壁部を有する容器と、
前記環状壁部の内側に嵌り込むと共に前記容器の載置位置を規定する位置規定リブと、上方に延びる回転シャフトと、排水溝とを有し、前記容器を着脱自在に載置する載置台と、
平面視において前記排水溝を介して前記位置規定リブに隣接して設けられる柱状部と、
前記回転シャフトを回転駆動させる回転駆動部と、
平面視において前記位置規定リブの回転シャフト側の領域であって前記回転シャフトを介して前記柱状部と対向する領域に配置され、前記容器が前記載置台に載置されたときに前記回転駆動部を駆動可能とする安全装置と
を備える、回転式調理器。
【請求項２】
下端に環状壁部を有する容器と、
前記環状壁部の内側に嵌り込むと共に前記容器の載置位置を規定する位置規定リブと、上方に延びる回転シャフトを有し、前記容器を着脱自在に載置する載置台と、
前記回転シャフトを回転駆動させる回転駆動部と、
上下方向に出没自在に設けられると共に前記容器の前記載置台への載置により没状態とされる安全スイッチと、
前記安全スイッチの突出状態時の上端位置よりも低く、前記安全スイッチに隣接して設けられ、互いに対向する一対の壁部と、
前記安全スイッチを挟んで前記位置規定リブと対向するように設けられる対向リブと
を備え、
前記位置規定リブおよび前記対向リブは、前記安全スイッチの突出状態時の上端位置よりも高く、
前記安全スイッチは、平面視において前記位置規定リブ、前記一対の壁部および前記対向リブによって囲まれている
回転式調理器。
【発明の詳細な説明】
【技術分野】
【０００１】
本発明は、フードプロセッサ等の回転式調理器に関する。
【背景技術】
【０００２】
過去に「電動調理器において、載置台に容器が正しく載置されたことを検知する容器検知部を載置台上に設けること」が提案されている（例えば、特開２０００−２６２４１５号公報等）。この電動調理器では、その容器検知部により載置台に容器が正しく載置されたことが検知された場合に、電気回路が閉路されて、モータが駆動可能な状態となる。
【先行技術文献】
【特許文献】
【０００３】
【特許文献１】特開２０００−２６２４１５号公報
【発明の概要】
【発明が解決しようとする課題】
【０００４】
ところで、このような電動調理器では、果物や野菜を切削して何等かの調理を行う場合、通常、容器内に水分が生じる。そして、例えば、容器に果物や野菜を入れすぎた場合等、水分を含む調理物（以下「含水調理物」という）が容器から溢れるおそれがある。このように容器から含水調理物が溢れ出して容器検知部に接触すると、容器検知部が機能しなくなるおそれがある。
【０００５】
本発明の課題は、含水調理物が容器から溢れ出した場合に、その含水調理物が容器検知部に接触することを防ぐことができる調理器を提供することにある。
【課題を解決するための手段】
【０００６】
本発明の第１局面に係る回転式調理器は、容器、載置台、柱状部、回転駆動部および安全装置（容器検知部）を備える。容器は、下端に環状壁部を有する。載置台には、容器が着脱自在に載置される。この載置台は、位置規定リブ、回転シャフトおよび排水溝を有する。位置規定リブは、容器の環状壁部の内側に嵌り込むと共に容器の載置位置を規定する。回転シャフトは、上方に延びている。柱状部は、平面視において排水溝を介して位置規定リブに隣接して設けられる。回転駆動部は、回転シャフトを回転駆動させる。安全装置は、容器が載置台に載置されたときに回転駆動部を駆動可能とする。そして、この安全装置は、平面視において位置規定リブの回転シャフト側の領域であって回転シャフトを介して柱状部と対向する領域に配置されている。
【０００７】
この回転式調理器では、平面視において位置規定リブの回転シャフト側の領域であって回転シャフトを介して柱状部と対向する領域に安全装置が配置されている。このため、この回転式調理器では、含水調理物が容器から溢れ出した場合、できるだけその含水調理物を安全装置に接触させることなく、含水調理物を容易に排水溝から排出させることができる。
【０００８】
本発明の第２局面に係る回転式調理器は、容器、載置台、回転駆動部、安全スイッチ、一対の壁部および対向リブを備える。容器は、下端に環状壁部を有する。載置台には、容器が着脱自在に載置される。この載置台は、位置規定リブおよび回転シャフトを有する。位置規定リブは、環状壁部の内側に嵌り込むと共に容器の載置位置を規定する。回転シャフトは、上方に延びている。回転駆動部は、回転シャフトを回転駆動させる。安全スイッチは、上下方向に出没自在に設けられる。そして、この安全スイッチは、容器の載置台への載置により没状態とされる。一対の壁部は、互いに対向する。そして、この壁部は、安全スイッチに隣接して設けられる。また、この壁部は、安全スイッチの突出状態時の上端位置よりも低い。対向リブは、安全スイッチを介して位置規定リブと対向するように設けられる。そして、位置規定リブおよび対向リブは、安全スイッチの突出状態時の上端位置よりも高い。また、安全スイッチは、位置規定リブ、一対の壁部および対向リブによって囲まれている。
【０００９】
ところで、近年、フードプロセッサ等の電動調理器の安全性が求められている。この要望に対して、例えば、過去に「電動調理器において、載置台に容器が正しく載置されたことを検知する容器検知部を載置台上に設けること」が提案されている（例えば、特開２０００−２６２４１５号公報等）。しかし、容器と回転刃とを別々に取り付けることができる電動調理器では、使用者が、回転刃を本体側の回転シャフトに取り付けた状態で、不用意に容器検知部を押圧してしまい、回転刃が回転駆動してしまうことが想定される。本発明の課題は、容器と回転刃とを別々に取り付けることができる電動調理器において、使用者が、回転刃を本体側の回転シャフトに取り付けた状態で、不用意に容器検知部を押圧しにくくすることである。
【００１０】
これに対し、第２局面に係る回転式調理器では、互いに対向する位置規定リブおよび対向リブが安全スイッチに隣接して設けられ、壁部の高さが安全スイッチの突出状態時の上端位置よりも高くされている。このため、この回転式調理器では、使用者が直接的に安全スイッチを押圧することが難しい。したがって、この回転式調理器では、回転シャフトに回転刃を取り付けた状態で、使用者が不用意に回転駆動部を駆動させにくくなっている。また、この回転式調理器では、平面視において安全スイッチが位置規定リブ、一対の壁部および対向リブによって囲まれている。このため、この回転式調理器では、含水調理物が容器から溢れ出した場合であっても、できるだけその含水調理物を安全スイッチに接触させることを防ぐことができる。
【図面の簡単な説明】
【００１１】
【図１】本発明の実施の形態に係るフードプロセッサの外観斜視図である。
【図２】本発明の実施の形態に係るフードプロセッサの平面図である。
【図３】図２のＡ−Ａ断面図である。
【図４】本発明の実施の形態に係るフードプロセッサからボウルを取り外したときの状態を示す斜視図である。
【図５】本発明の実施の形態に係るフードプロセッサからボウルを取り外したときの状態の平面図である。
【図６】本発明の実施の形態に係るフードプロセッサのボウルの底面図である。
【図７】図５のＢ−Ｂ断面図である。
【図８】図７のＣ部分の拡大図である。
【発明を実施するための形態】
【００１２】
＜本発明の実施の形態に係るフードプロセッサの構成＞
本発明の実施の形態に係るフードプロセッサ１００は、図１から図３に示されるように、主に、本体１１０、調理羽根１５０、ワークボウル１６０、蓋体１７０、電源コード１８１および電源プラグ１８２から構成されている。以下、これらの構成部品についてそれぞれ詳述する。
【００１３】
１．本体
本体１１０は、図３から図５に示されるように、主に、外装体１１１、攪拌モータ１３２、スイッチ機構１３１、回転シャフト１３３およびベルト伝達機構１３４から構成される。以下、これらの構成部品について詳述する。
【００１４】
（１）外装体
外装体１１１は、主に、第１筐体部１１２、第２筐体部１１３および載置台１１４から構成されている。
【００１５】
第１筐体部１１２は、図４および図５に示されるように、半円筒状の樹脂成形体である。この第１筐体部１１２には、図４および図５に示されるように、天壁Ｗｕに一対の長丸形の開口１１２ａが形成されている。
【００１６】
第２筐体部１１３は、図３から図５に示されるように、平面視において略長丸形を呈する筒体である。そして、図３から図５に示されるように、この第２筐体部１１３の上部には、平面視において片側に第１筐体部１１２が配置され、もう片側に載置台１１４が配置されている。
【００１７】
載置台１１４は、図４および図５に示されるように、主に、台板部１１４ａ、部分円周リブ１１４ｂ、台形リブ１１４ｃ、一対の側リブ１１４ｄおよびマイクロスイッチ１１４ｅから構成されている。なお、台板部１１４ａ、部分円周リブ１１４ｂ、台形リブ１１４ｃおよび一対の側リブ１１４ｄは、樹脂の一体成形品である。また、部分円周リブ１１４ｂ、台形リブ１１４ｃおよび一対の側リブ１１４ｄは、図４に示されるように、台板部１１４ａから上方に向かって突起している。また、図５に示されるように、部分円周リブ１１４ｂと第１筐体部１１２との間には、隙間Ｒｃが形成されている。なお、この隙間Ｒｃは、平面視において回転シャフト１３３を介してマイクロスイッチ１１４ｅと対向している。なお、これらの隙間Ｒｃは、後述するように、含水調理物の排水路として利用される。
【００１８】
台板部１１４ａは、略円盤状の平板部である。
【００１９】
部分円周リブ１１４ｂは、図５に示されるように、平面視において略Ｃ字形状を呈しており、台板部１１４ａの外周部に配置されている。なお、この部分円周リブ１１４ｂは、載置台１１４に対するワークボウル１６０の位置決めの役目を担っているのみならず、ワークボウル１６０から含水料理物等が漏れ出した場合に、その含水料理物を塞き止める役目を担っている。
【００２０】
台形リブ１１４ｃは、図５に示されるように、平面視において台形形状を呈しており、マイクロスイッチ１１４ｅを挟んで部分円周リブ１１４ｂの中央部Ｐｃに対向するように配置されている。なお、この台形リブ１１４ｃおよび部分円周リブ１１４ｂは、図７および図８に示されるように、オフ状態（すなわち、押圧されていない状態）のマイクロスイッチ１１４ｅの上端面よりも高くなるように設計されている。
【００２１】
側リブ１１４ｄは、図５に示されるように、マイクロスイッチ１１４ｅの両脇に配置されており、部分円周リブ１１４ｂの中央部Ｐｃから台形リブ１１４ｃまで延びている。すなわち、マイクロスイッチ１１４ｅは、図５に示されるように、平面視において部分円周リブ１１４ｂの中央部Ｐｃ、台形リブ１１４ｃおよび一対の側リブ１１４ｄに囲まれている。また、この側リブ１１４ｄは、図７および図８に示されるように、オフ状態のマイクロスイッチ１１４ｅの上端面よりも低くなるように設計されている。
【００２２】
（２）攪拌モータ
攪拌モータ１３２は、通常の電動機であって、図３に示されるように、外装体１１１の内部に配置されている。この攪拌モータ１３２は、回転シャフト１３２ａが下方に向かって延びるように設置されている。
【００２３】
（３）スイッチ機構
スイッチ機構１３１は、図３に示されるように、主に、受け板１３１ａ、伸縮棒１３１ｂ、コイルバネ１３１ｃおよびマイクロスイッチ１３１ｄから構成される。受け板１３１ａは、伸縮棒１３１ｂの外周に配置されるコイルバネ１３１ｃによって、第１筐体部１１２の天壁Ｗｕに向かって付勢されている。そして、受け板１３１ａが第１筐体部１１２の天壁Ｗｕに接触しているとき、マイクロスイッチ１３１ｄは、開状態となり、攪拌モータ１３２への通電が遮断されている。一方、受け板１３１ａが蓋体１７０の押し板部１７２の裏面から延びる一対の爪部（図示せず）によって開口１１２ａを介して押し下げられると、マイクロスイッチ１３１ｄが、閉状態となり、電気回路を閉路し、攪拌モータ１３２を回転駆動させる。
【００２４】
（４）回転シャフト
回転シャフト１３３は、図３に示されるように、主に、芯部１３３ａ、下部外周部１３３ｂおよび上部外周部１３３ｃから形成される。芯部１３３ａは、第２筐体部１１３の底部１１３ａから載置台１１４の台板部１１４ａを貫通して上方に延びている。下部外周部１３３ｂは、芯部１３３ａの下部から載置台１１４の台板部１１４ａ付近まで延びており、芯部１３３ａの下部外周に固定されている。なお、この下部外周部１３３ｂは、図３に示されるように、上側軸受部１４１および下側軸受部１４２により軸支されている。上部外周部１３３ｃは、載置台１１４の台板部１１４ａ付近から上方に延びており、芯部１３３ａの外周の上部外周に固定されている。
【００２５】
（５）ベルト伝達機構
ベルト伝達機構１３４は、図３に示されるように、主に、第１プーリ１３４ａ、第２プーリ１３４ｂおよびベルト１３４ｃから構成されている。第１プーリ１３４ａは、回転シャフト１３３の芯部１３３ａの下端部に取り付けられている。第２プーリ１３４ｂは、回転シャフト１３２ａの先端部、すなわち下端部に取り付けられている。ベルト１３４ｃは、第１プーリ１３４ａと第２プーリ１３４ｂとに架け渡されている。このため、攪拌モータ１３２が駆動すると、その回転駆動力は、第２プーリ１３４ｂ、ベルト１３４ｃおよび第１プーリ１３４ａを介して回転シャフト１３３に伝達される。そして、攪拌モータ１３２の回転駆動力が回転シャフト１３３に伝達されると、回転シャフト１３３の上部に嵌め込まれる調理羽根１５０が回転する。
【００２６】
２．調理羽根
調理羽根１５０は、図３に示されるように、主に、本体部１５１および一対の回転刃１５２から構成される。本体部１５１は、図３に示されるように、二重筒構造体であって、主に、内筒１５１ａおよび外筒１５１ｂから形成されている。内筒１５１ａは、図３に示されるように、内径が回転シャフト１３３の上部外周部１３３ｃの外径とほぼ等しく、回転シャフト１３３の上部に嵌め込まれる。なお、この内筒１５１ａの外径は、ワークボウル１６０の略中央に設けられる回転シャフト挿通筒１６７の内径よりも小さい。すなわち、内筒１５１ａは、ワークボウル１６０が載置台１１４に載置された後に調理羽根１５０が回転シャフト１３３に嵌め込まれるとき、回転シャフト挿通筒１６７の内側に入り込む（図３参照）。外筒１５１ｂは、図３に示されるように、ワークボウル１６０が載置台１１４に載置され且つ調理羽根１５０の内筒１５１ａが回転シャフト１３３の上部に嵌め込まれた状態において、回転シャフト挿通筒１６７の外側を覆う。すなわち、外筒１５１ｂの内径は、図３に示されるように、回転シャフト挿通筒１６７の外径よりも大きい。回転刃１５２は、本体部１５１の外筒１５１ｂの下部外側に取り付けられている。
【００２７】
３．ワークボウル
ワークボウル１６０は、図１および図３に示されるように、主に、容器１６１、スカート部１６３、内環状壁１６４、十字板部１６６、取っ手１６２および回転シャフト挿通筒１６７から構成される。容器１６１は、ステンレス等の金属やガラス等の容器であって、主に、円筒壁部１６１ａおよび底壁部１６１ｂから形成されている。円筒壁部１６１ａの高さ方向略中央部の内周面には、図１および図３に示されるように、内方に向かって突起するリブ１６８が複数形成されている。底壁部１６１ｂの中央部には、図６に示されるように、開口ＯＰが設けられている。なお、この開口ＯＰは、十字板部１６６をも貫通している。スカート部１６３は、図３および図６に示されるように、円環状の樹脂部材であって、容器１６１の底壁部１６１ｂの外周部から下方に向かって延びている。なお、ワークボウル１６０が本体１１０の載置台１１４に載置されたとき、スカート部１６３は、図３に示されるように、載置台１１４の部分円周リブ１１４ｂの外側を覆う。また、ワークボウル１６０が本体１１０の載置台１１４に載置されたとき、スカート部１６３の下端と載置台１１４との間に一定の隙間が生じるようになっている。十字板部１６６は、その重心が容器１６１の中心と重なるように、底壁部１６１ｂの裏面に配置されている。そして、十字板部１６６の外周には、内環状壁１６４が配設されている。この結果、十字板部１６６と内環状壁１６４との間には、４つの窪みＳＰが形成されている。そして、ワークボウル１６０を載置台１１４に載置したとき、これらの窪みＳＰのいずれかに台形リブ１１４ｃが嵌り込むと共に、内環状壁１６４により載置台１１４上のマイクロスイッチ１１４ｅが押圧される。その結果、マイクロスイッチ１１４ｅがオン状態となる。取っ手１６２は、略「コ」の字状の部材であって、容器１６１の円筒壁部１６１ａの上部およびスカート部１６３に取り付けられている。回転シャフト挿通筒１６７は、円筒形状を呈する部材であって、底壁部１６１ｂの開口の縁に取り付けられている。すなわち、ワークボウル１６０を本体１１０の載置台１１４に載置したとき、載置台１１４からの上方に延びる回転シャフト１３３は、ワークボウル１６０の底壁部１６１ｂの開口および回転シャフト挿通筒１６７の内孔に挿通されることになる。
【００２８】
４．蓋体
蓋体１７０は、図２および図３に示されるように、主に、蓋部１７１、半月枠１７３および押し板部１７２から形成されている。蓋部１７１は、図２および図３に示されるように、円盤部１７１ａおよび円筒壁部１７１ｂから形成されている。円筒壁部１７１ｂは、円盤部１７１ａの縁から下方に向かって延びている。また、この円筒壁部１７１ｂの外周には、図３に示されるように、パッキン１７５が取り付けられている。半月枠１７３は、図２および図３に示されるように、円盤部１７１ａの側方に突起している。押し板部１７２は、半月枠１７３の開口形状に対応した形状を呈しており、半月枠１７３の内部に出没自在に取り付けられている。また、この押し板部１７２の裏面には、上述した通り、第１筐体部１１２の天壁Ｗｕの開口１１２ａに対向する位置に一対の爪部が形成されている。
【００２９】
５．電源コードおよび電源プラグ
電源コード１８１は、図２、図５および図７に示されるように、第２筐体部１１３の側面から外方に向かって延びている。電源プラグ１８２は、電源コード１８１の先端に取り付けられている。
【００３０】
＜本発明の実施の形態に係るフードプロセッサの使用方法＞
先ず、本体１１０の載置台１１４上にワークボウル１６０が載置される。次に、ワークボウル１６０の回転シャフト挿通筒１６７に調理羽根１５０が嵌め込まれる。続いて、ワークボウル１６０内に調理素材が投入される。そして、ワークボウル１６０の上および第１筐体部１１２の天壁Ｗｕの上に蓋体１７０が載置される。この結果、ワークボウル１６０の口部が蓋体１７０の蓋部１７１で覆われ、第１筐体部１１２の天壁Ｗｕの開口１１２ａに、蓋体１７０の押し板部１７２の爪部が挿入されると共に、爪部がスイッチ機構１３１の受け板１３１ａの上面に接触する。そして、この状態で、使用者が、押し板部１７２を押し下げると、マイクロスイッチ１３１ｄが、閉状態となり、電気回路を閉路し、その結果、攪拌モータ１３２が回転駆動される。
【００３１】
＜本発明の第１実施形態に係るフードプロセッサの特徴＞
（１）
本発明の実施の形態に係るフードプロセッサ１００では、容器１６１の下端にスカート部１６３が設けられる。そして、ワークボウル１６０が本体１１０の載置台１１４に載置されたとき、スカート部１６３は、図３に示されるように、載置台１１４の部分円周リブ１１４ｂの外側を覆う。そして、このフードプロセッサ１００では、マイクロスイッチ１１４ｅが、部分円周リブ１１４ｂの内側に配置される。このため、このフードプロセッサ１００では、含水調理物が容器１６１から溢れ出した場合、その含水調理物は容器１６１の外壁およびスカート部１６３を伝って下方に落下する。したがって、このフードプロセッサ１００では、含水調理物が容器１６１から溢れ出した場合、その含水調理物がマイクロスイッチ１１４ｅに接触することを防ぐことができる。
【００３２】
（２）
本発明の実施の形態に係るフードプロセッサ１００では、平面視において回転シャフト１３３を介して隙間（排水溝）Ｒｃと対向する領域にマイクロスイッチ１１４ｅが配置されている。このため、このフードプロセッサ１００では、含水調理物が容器１６１から溢れ出した場合、できるだけその含水調理物をマイクロスイッチ１１４ｅに接触させることなく、含水調理物を容易に隙間Ｒｃから排出させることができる。
【００３３】
（３）
本発明の実施の形態に係るフードプロセッサ１００では、マイクロスイッチ１１４ｅが部分円周リブ１１４ｂおよび台形リブ１１４ｃに挟まれている。そして、部分円周リブ１１４ｂおよび台形リブ１１４ｃの高さは、マイクロスイッチ１１４ｅの突出状態時の上端位置よりも高くされている。このため、このフードプロセッサ１００では、使用者が直接的にマイクロスイッチ１１４ｅを押圧することが難しい。したがって、このフードプロセッサ１００では、回転シャフト１３３に調理羽根１５０を取り付けた状態で、使用者が不用意に攪拌モータ１３２を駆動させにくくなっている。
【００３４】
（４）
本発明の実施の形態に係るフードプロセッサ１００では、平面視において、マイクロスイッチ１１４ｅが部分円周リブ１１４ｂの中央部Ｐｃ、台形リブ１１４ｃおよび一対の側リブ１１４ｄに囲まれている。このため、このフードプロセッサ１００では、含水調理物が容器１６１から溢れ出した場合であっても、できるだけその含水調理物をマイクロスイッチ１１４ｅに接触させることを防ぐことができる。
【００３５】
（５）
本発明の実施の形態に係るフードプロセッサ１００では、平面視において本体１１０の片側にスイッチ機構１３１が配置され、その反対側にマイクロスイッチ１１４ｅが配置される。ところで、このフードプロセッサ１００の使用者は、通常、ワークボウル１６０を載置台１１４に押さえ付けながら、押し板部１７２を操作する。したがって、このフードプロセッサ１００では、調理中の振動等によって、マイクロスイッチ１１４ｅがオフ状態となることを抑制することができる。
【００３６】
（６）
本発明の実施の形態に係るフードプロセッサ１００では、ワークボウル１６０を載置台１１４に載置したとき、４つの窪みＳＰのいずれかに台形リブ１１４ｃが嵌り込むと共に、内環状壁１６４が部分円周リブ１１４ｂの中央部Ｐｃと台形リブ１１４ｃとの間に嵌り込む。このため、このフードプロセッサ１００では、ワークボウル１６０の回転方向を規定することができる。
【００３７】
（７）
本発明の実施の形態に係るフードプロセッサ１００では、ワークボウル１６０が本体１１０の載置台１１４に載置されたとき、スカート部１６３と載置台１１４との間に一定の隙間が生じるように設計されている。このため、このフードプロセッサ１００では、回転シャフト挿通筒１６７から含水調理物が溢れ出た場合であっても、その含水料理物を自然に外部に排出することができる。
【００３８】
（８）
本発明の実施の形態に係るフードプロセッサ１００では、部分円周リブ１１４ｂと第１筐体部１１２との間に、排出溝としての隙間Ｒｃが２つ設けられている。ところで、このフードプロセッサ１００の使用者は、通常、第１筐体部１１２が右側または左側に位置するようにフードプロセッサ１００を設置する。すなわち、このフードプロセッサ１００では、いずれかの隙間Ｒｃが使用者の正面側に位置する。このため、このフードプロセッサ１００では、使用者は、含水料理物等が漏れ出した場合、そのことを容易に視認することができる。
【００３９】
（９）
本発明の実施の形態に係るフードプロセッサ１００では、部分円周リブ１１４ｂが半円よりも長く形成されている。このため、このフードプロセッサ１００では、ワークボウル１６０を安定して載置することができる。
【００４０】
（１０）
本発明の実施の形態に係るフードプロセッサ１００では、マイクロスイッチ１１４ｅの脇に一対の側リブ１１４ｄが配設されている。このため、このフードプロセッサ１００では、マイクロスイッチ１１４ｅが過度に押されすぎるのを防止することができる。
【００４１】
＜変形例＞
（Ａ）
先の実施の形態では特に言及しなかったが、載置台１１４の台板部１１４ａが第１筐体部１１２に向かうにつれて数度程度、下方に傾斜していてもよい。このようにすれば、回転シャフト挿通筒１６７から含水調理物が溢れ出た場合、その含水調理物がマイクロスイッチ１１４ｅに接触しにくくすることができる。
【００４２】
（Ｂ）
先の実施の形態では特に言及しなかったが、ワークボウル１６０が載置台１１４に載置されたとき、ワークボウル１６０の十字板部１６６の取っ手側の部位が載置台１１４の台板部１１４ａに接触し、その反対側の部位と載置台１１４の台板部１１４ａとの間に隙間が生じるように、十字板部１６６を設計してもよい。このようにすれば、回転シャフト挿通筒１６７から含水調理物が溢れ出た場合、その含水調理物がマイクロスイッチ１１４ｅに接触しにくくすることができる。
【符号の説明】
【００４３】
１００      フードプロセッサ（回転式調理器）
１１４      載置台
１１４ｂ    部分円周リブ（位置規定リブ）
１１４ｅ    マイクロスイッチ（安全装置，安全スイッチ）
１３２      攪拌モータ（回転駆動部）
１３３      回転シャフト
１６０      ワークボウル（容器）
１６３      スカート部（環状壁部）
Ｐｃ，１１４ｃ      部分円周リブの中央部，台形リブ（一対の壁部）
Ｒｃ        隙間（排水溝）
【図１】
0006019781.tif 000002
【図２】
0006019781.tif 000003
【図３】
0006019781.tif 000004
【図４】
0006019781.tif 000005
【図５】
0006019781.tif 000006
【図６】
0006019781.tif 000007
【図７】
0006019781.tif 000008
【図８】
0006019781.tif 000009